(57)【要約】【課題】ＰＤＡに適した形態にコンテンツを変換する過程を１回のクリックで可能にすることにより、複雑なコンテンツ変換過程の単純化を実現するうえ、いろいろの変換プログラムの追加設置による不便さを解決することが可能なＰＤＡ用コンテンツ変換システム及びその変換方法を提供。【解決手段】拡張されたメモ帳機能だけでなく、ＤＯＣリーダー及びイメージビューアの機能を統合したアプリケーションプログラムとしてＰＤＡに設置され、様々なコンテンツをディスプレイするＰＤＡ用ブラウザと、ユーザＰＣに設置され、前記ＰＤＡ用ブラウザで使用するＤＯＣ、メモ、イメージ及び住所などのコンテンツの変換以外にもホットシンクを制御するコンバータとを備える。【選択図】　　　　図１
2004030562.tif 000002
【特許請求の範囲】
【請求項１】
拡張されたメモ帳機能だけでなく、ＤＯＣリーダー及びイメージビューアの機能を統合したアプリケーションプログラムとしてＰＤＡに設置され、様々なコンテンツをディスプレイするＰＤＡ用ブラウザと、
ユーザＰＣに設置され、前記ＰＤＡ用ブラウザで使用するＤＯＣ、メモ、イメージ及び住所などのコンテンツの変換以外にもホットシンクを制御するコンバータとを備えることを特徴とするＰＤＡ用コンテンツ変換システム。
【請求項２】
ファイルエクスプローラ上で文書やイメージファイルなどのコンテンツをマウスクリックによってＰＤＡに保存する段階、
クリップボードにコピーされた文書やイメージなどのコンテンツをＰＤＡに保存する段階、及び
インターネットエクスプローラ上で所望の部分のコンテンツをマウスクリックによってＰＤＡに保存する段階のいずれか一つを選択して行うことを特徴とするＰＤＡ用コンテンツ変換方法。
【請求項３】
前記ファイルエクスプローラ上でマウスクリックによって文書やイメージファイルなどのコンテンツをＰＤＡに保存する段階は、
ファイルエクスプローラ上でＰＤＡに保存しようとするファイルの在るディレクトリへ移動する段階と、
前記移動したディレクトリ上でＰＤＡに保存しようとするファイルを選択した後、マウスボタンをクリックする段階と、
前記マウスクリックで実行されたポップアップ窓の「Ｓａｖｅ　Ｔｏ　Ｐａｌｍ」メニューを選択して文書やイメージなどのコンテンツを保存する段階とを含むことを特徴とする請求項２記載のＰＤＡ用コンテンツ変換方法。
【請求項４】
前記クリップボードにコピーされた文書やイメージなどのコンテンツをＰＤＡに保存する段階は、
アプリケーションでＰＤＡに保存しようとするコンテンツをクリップボードにコピーする段階と、
前記クリップボードにコピーされたコンテンツを前記コンバータの駆動後に保存する段階とを含むことを特徴とする請求項２記載のＰＤＡ用コンテンツ変換方法。
【請求項５】
前記インターネットエクスプローラ上で所望の部分のコンテンツをマウスクリックによってＰＤＡに保存する段階は、
インターネットエクスプローラ上でＰＤＡに保存しようとする文書やイメージなどのコンテンツをブロックマーキングする段階と、
前記ブロックマーキングの後、マウスボタンをクリックする段階と、
前記マウスクリックで実行されたポップアップ窓の「Ｓａｖｅ　Ｔｏ　Ｐａｌｍ」メニューを選択して文書やイメージなどのコンテンツを保存する段階とを含むことを特徴とする請求項２記載のＰＤＡ用コンテンツ変換方法。
【発明の詳細な説明】
【０００１】
【発明の属する技術分野】
本発明は、ＰＤＡ（Ｐｅｒｓｏｎａｌ　Ｄｉｇｉｔａｌ　Ａｓｓｉｓｔａｎｔｓ）用コンテンツ変換システム及びその変換方法に関し、より詳細には、ファイルエクスプローラ、アプリケーション、インターネットエクスプローラ上に提供されるコンテンツをＰＤＡに適した形態に、ユーザＰＣをサーバとして用いてマウスワンクリックでＷｅｂ文書、ワードファイル及びイメージ等を簡便に変換させることが可能なＰＤＡ用コンテンツ変換システム及びその変換方法に関する。
【０００２】
【従来の技術】
一般に、ＰＤＡとは、携帯用コンピュータの一種であって、家庭や事務室のコンピュータで作成した文書ファイルを格納しておくと、移動しながらも作業を行い続けることが可能であり、電子手帳と同様に個人情報管理または日程管理も可能な携帯用個人情報端末機をいう。
【０００３】
このようなＰＤＡは、初期には計算や日程管理など制限的な用途のみに用いられたが、情報通信技術の急発展に伴って、次世代ＰＣの代表的な情報通信手段として注目されている。
【０００４】
なぜなら、ＰＤＡは手書きの情報を直接入力することができ、コンピュータを介した情報交流は勿論、オンライン株取引や電子商取引など無線インターネットの全ての機能も活用することができるからである。さらに、ＰＤＡは移動電話と結合して各種交通情報の提供を受けることができ、ファクシミリ機能も行うことができる。このようにＰＤＡの機能がより多様化されているのが現実である。
【０００５】
ところが、上述した機能を行うＰＤＡは殆ど、デスクトップコンピュータで実行することが可能ないろいろの文書やイメージなどを原本のまま使用することができないため、必ずＰＤＡに適した形態に変換する過程を必要とする。そして、この変換された資料をＰＤＡで活用し得るように、ＰＤＡのユーザがカテゴリ別にコンテンツを分類してデータを同期化させなければならない。
【０００６】
即ち、ＰＤＡを使用するユーザであれば、ＰＤＡの使用用途を拡大させるためにいろいろのソフトウェアを設置して使用する。例えば、電子本（ｅ−ｂｏｏｋ）文書を読むためには、ＤＯＣ形式の長い文章の文書を読み取ることを可能にするＤＯＣリーダー（ｒｅａｄｅｒ）を設置しなければならず、イメージファイルを見るためには、イメージファイルの閲覧ができるように、ＰＣ上で使われる変換プログラムのイメージビューア（ｉｍａｇｅ　ｖｉｅｗｅｒ）またはファイルビューア（ｆｉｌｅ　ｖｉｅｗｅｒ）などを設置しなければならないという不便さがある。
【０００７】
さらに、ＰＤＡにコンテンツを保存するためには、各ユーザのＰＤＡに適合な専用の変換ツールを利用しなければならないという面倒がある。その上、ＰＤＡユーザがカテゴリ別にコンテンツを分類してデータを同期化させなければならないなどコンテンツ変換過程が複雑であるという欠点がある。
【０００８】
【発明が解決しようとする課題】
従って、本発明の目的は、ＰＤＡに適した形態にコンテンツを変換する過程を１回のクリックで可能にすることにより、複雑なコンテンツ変換過程の単純化を実現するうえ、いろいろの変換プログラムの追加設置による不便さを解決することが可能なＰＤＡ用コンテンツ変換システム及びその変換方法を提供することにある。
【０００９】
【課題を解決するための手段】
上記目的を達成するための本発明に係るＰＤＡ用コンテンツ変換システムは、拡張されたメモ帳機能だけでなく、ＤＯＣリーダー及びイメージビューアの機能を統合したアプリケーションプログラムとしてＰＤＡに設置され、様々なコンテンツをディスプレイするＰＤＡ用ブラウザと、ユーザＰＣに設置され、前記ＰＤＡ用ブラウザで使用するＤＯＣ、メモ、イメージ及び住所などのコンテンツの変換以外にもホットシンクを制御するコンバータとを備えることを特徴とする。
【００１０】
また、上記目的を達成するための本発明に係るＰＤＡ用コンテンツ変換方法は、ファイルエクスプローラ上で文書やイメージファイルなどのコンテンツをマウスクリックによってＰＤＡに保存する段階、クリップボードにコピーされた文書やイメージなどのコンテンツをＰＤＡに保存する段階、及びインターネットエクスプローラ上で所望の部分のコンテンツをマウスクリックによってＰＤＡに保存する段階のいずれか一つを選択して行うことを特徴とする。
【００１１】
【発明の実施の形態】
以下、添付図に基づいて本発明を詳細に説明する。
【００１２】
本発明に係るＰＤＡ用コンテンツ変換システムは、ＰＣ用コンバータとＰＤＡ用ブラウザからなる。
【００１３】
前記ＰＣ用コンバータは、ユーザＰＣに設置され、ＰＤＡ用ブラウザで使用するＤＯＣ、メモ、イメージ及び住所などのコンテンツの変換以外にも、容易にホットシンクを制御することが可能な機能を提供する。特に、エクスプローラと結合して優れたコンテンツ変換機能を行う。
【００１４】
この際、前記ＰＣ用コンバータはＷｉｎｄｏｗｓ用であり、Ｗｉｎｄｏｗｓ９５／９８／ＮＴ／２０００、インターネットエクスプローラ４．０以上、Ｗｉｎｄｏｗｓ用設置ファイルサイズ２００Ｋ未満のＰＣ環境で行われる。
【００１５】
一方、前記ＰＤＡ用ブラウザは、ＰＤＡに設置されることにより、様々なＰＤＡ用コンテンツをディスプレイするものであって、従来のメモ帳機能を拡張して承継し、その他にもＤＯＣリーダー及びイメージビューアの機能を統合したアプリケーションプログラムである。
【００１６】
この際、前記ＰＣ用コンバータ及びＰＤＡ用ブラウザは、簡単な設置過程を経てユーザＰＣ及びＰＤＡに自動設置される。
【００１７】
上述したＰＤＡ用コンテンツ変換システムによるコンテンツ変換過程は、ファイルエクスプローラ上で文書やイメージファイルなどのコンテンツをマウスクリックによってＰＤＡに保存する段階、アプリケーション上でクリップボードにコピーされた文書やイメージなどのコンテンツをＰＤＡに保存する段階、及びインターネットエクスプローラ上で所望の部分のコンテンツをマウスクリックによってＰＤＡに保存する段階のいずれか一つをユーザが選択することにより行われる。
【００１８】
図１は前記ファイルエクスプローラ上でマウスクリックによって文書やイメージファイルなどのコンテンツをＰＤＡに保存する場合を示す例示図であり、まず、ユーザはファイルエクスプローラ上でＰＤＡに保存しようとするファイルの在るディレクトリに移動する。その後、前記移動したディレクトリでＰＤＡに保存しようとするファイルを選択した後、マウスの右ボタンをクリックする。前記マウスの右ボタンがクリックされると、図１に示すようなポップアップ窓が実行されるが、ユーザが前記ポップアップ窓から「Ｓａｖｅ　Ｔｏ　Ｐａｌｍ」メニューを選択すると、ＰＤＡに保存しようとする文書やイメージファイルなどのコンテンツが保存される。
【００１９】
前記「Ｓａｖｅ　Ｔｏ　Ｐａｌｍ」メニューを選択すると、選択されたフイルの種類に応じて４形態のコンバータプログラム、即ちテキスト、イメージ、ＨＴＭＬ、電子本のうち該当するコンバータプログラムがそれぞれ駆動される。
【００２０】
図２ａは図１のテキスト文書をＰＤＡに保存する場合を示す例示図、図２ｂは図１のイメージ文書をＰＤＡに保存する場合を示す例示図、図２ｃは図１のＨＴＭＬ文書をＰＤＡに保存する場合を示す例示図、図２ｄは図１の電子本文書をＰＤＡに保存する場合を示す例示図である。
【００２１】
この際、同図に表示された「Ｕｓｅｒ」は次回のホットシンク時に現在の文書を伝送するＰＤＡユーザ名が選択できるようにし、「Ｔｙｐｅ」は現在の文書をＰＤＡ用コンテンツに変換する際の文書の種類がＤＯＣ、メモ、住所録の中から選択できるようにし、「Ｃａｔｅｇｏｒｙ」はＰＤＡに保存するカテゴリが選択できるようにするものである。また、「Ｔｉｔｌｅ」は現在文書の題目を入力するもので、ＰＤＡで使用される題目であると同時に変換されるファイル名として使用される。
【００２２】
前記各種ボタンの入力済み後、ユーザが「Ｃｏｎｖｅｒｔ」ボタンを実行させると、前記ＰＤＡ用ブラウザを介してディスプレイされるコンテンツに変換されてＰＤＡに保存される。このように変換された文書は「Ｔｉｔｌｅ」の窓に入力した内容の題目を有する文書として保存され、この文書は次回のホットシンク時にＰＤＡに保存される。
【００２３】
一方、図３はアプリケーション上でクリップボードにコピーされた文書やイメージなどのコンテンツをＰＤＡに保存する場合を示す例示図であり、まず、ユーザはアプリケーション上でＰＤＡに保存しようとするコンテンツの一部分を、図３に示すようにクリップボードにコピーする。
【００２４】
次に、コンバータを駆動させてポップアップ窓が実行されると、前記クリップボードにコピーされている内容をポップアップ窓に貼り付けた後、「Ｃｏｎｖｅｒｔ」ボタンを実行させると、ＰＤＡに保存しようとするコンテンツが保存される。この際、クリップボードにコピーされた文書やイメージなどのコンテンツをＰＤＡに保存する場合にも、「Ｕｓｅｒ」、「Ｃａｔｅｇｏｒｙ」、「Ｔｉｔｌｅ」などの各種ボタンの入力済み後に「Ｃｏｎｖｅｒｔ」ボタンを実行させることにより、ＰＤＡにコンテンツが保存される。
【００２５】
図４はインターネットエクスプローラ上で所望の部分のコンテンツをマウスクリックによってＰＤＡに保存する場合を示す例示図であり、まず、ユーザはインターネットエクスプローラ上でＰＤＡに保存しようとする文書やイメージなどのコンテンツを図４に示すようにマウスでブロックマーキングする。その後、前記保存しようとするコンテンツをブロックマーキングした後、マウスの右ボタンをクリックする。前記マウスの右ボタンがクリックされると、図４に示すようなポップアップ窓が実行される。ユーザが前記ポップアップ窓の中から「Ｓａｖｅ　Ｔｏ　Ｐａｌｍ」メニューを選択すると、ブロックマーキングされた文書やイメージなどのコンテンツがＰＤＡに保存される。
【００２６】
従って、本発明に係るＰＤＡ用コンテンツ変換システムは、ファイルエクスプローラ、アプリケーション、インターネットエクスプローラから提供される文書やイメージなどの多様なコンテンツを、ユーザが１回のマウスクリックでＰＤＡ用コンテンツに変換することができる。
【００２７】
以上の説明は本発明に係るＰＤＡ用コンテンツ変換システム及びその変換方法に関する一実施例に過ぎず、本発明の属する技術の分野で通常の知識を有する者であれば、誰でも様々な変更実施が可能な範囲まで本発明の技術的精神があると理解されよう。
【００２８】
【発明の効果】
以上述べたように、本発明に係るＰＤＡ用コンテンツ変換システム及びその変換方法は、次の効果がある。
【００２９】
（１）コンテンツ変換過程において複雑な過程を単純化するうえ、コンバータを始めとしたいろいろのプログラムをさらに設置することなく一つのプログラムで所望の資料を容易にＰＤＡに保存することができるという利点がある。
【００３０】
（２）ユーザがＰＤＡ専用Ｗｅｂサイトなしでも本人のＰＣをサーバとして用いて１回のマウスクリックでＷｅｂ文書は勿論、ワードファイルも簡便にＰＤＡ用ファイルに変換することができるという利点がある。
【００３１】
（３）データ同期化方式上においてＰＤＡに合わせて最適化されたファイル形態で提供するため、提供インフラ、即ちハードウェア、ネットワーク、ＰＤＡ機能などの側面で高品質及びコストダウン効果を達成することができるという効果がある。
【図面の簡単な説明】
【図１】ファイルエクスプローラ上でＰＤＡに保存する場合を示す例示図である。
【図２ａ】図１のテキスト文書をＰＤＡに保存する場合を示す例示図である。
【図２ｂ】図１のイメージ文書をＰＤＡに保存する場合を示す例示図である。
【図２ｃ】図１のＨＴＭＬ文書をＰＤＡに保存する場合を示す例示図である。
【図２ｄ】図１の電子本文書をＰＤＡに保存する場合を示す例示図である。
【図３】アプリケーション上でクリップボードにコピーしてＰＤＡに保存する場合を示す例示図である。
【図４】インターネットエクスプローラ上でＰＤＡに保存する場合を示す例示図である。
【図１】
2004030562.tif 000003
【図２ａ】
2004030562.tif 000004
【図２ｂ】
2004030562.tif 000005
【図２ｃ】
2004030562.tif 000006
【図２ｄ】
2004030562.tif 000007
【図３】
2004030562.tif 000008
【図４】
2004030562.tif 000009